【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
固定タービン部品の環状溝（１５０）に挿入されるブラシシールキャリヤ組立体（１４６）であって、前記ブラシシールキャリヤ組立体（１４６）が、
後方裏当てプレート（１５６）と前方プレート（１５４）の間に挟持されてそれらと係合するコンプライアントブラシシール部品（１３６）であって、前記コンプライアントブラシシール部品（１３６）、前記後方裏当てプレート（１５６）及び前方プレート（１５４）が互いに平行で半径方向に向いており、前記コンプライアントブラシシール部品（１３６）の半径方向内側部分が前記後方裏当てプレートを超えて半径方向に突出しているコンプライアントブラシシール部品（１３６）と、
前記前方プレート（１５４）と一体形に形成された１以上の硬質歯シール要素（１６２）であって前記コンプライアントブラシシール部品（１３６）と平行に延在する１以上の硬質歯シール要素（１６２）と
を備えており、前記硬質歯シール要素（１６２）が、前記後方裏当てプレート（１５６）を超えるが前記コンプライアントブラシシール部品（１３６）の半径方向手前まで半径方向に延在し、前記１以上の硬質歯シール要素（１６２）が、前記コンプライアントブラシシール部品（１３６）の幅寸法の少なくとも３倍の距離だけ前記コンプライアントブラシシール部品から軸方向に間隔を置いて配置されており、
前記後方裏当てプレート（１５６）と前方プレート（１５４）の少なくとも一方が、前記固定タービン部品の環状溝（１５０）のチャネル部（１５２）と係合するフック部（１４８）をもつものとして形成されている、ブラシシールキャリヤ組立体。
【請求項２】
前記前方プレート（１５４）が、前記コンプライアントブラシシール部品（１３６）を前記前方プレート（１５４）の残り部分から間隔を置いて配置して前記コンプライアントブラシシール部品の前方軸方向撓みを可能にするスペーサ部分（１５８）を含む、請求項１記載のブラシシールキャリヤ組立体。
【請求項３】
前記幅寸法が０．０５〜０．０７インチ（１．２７〜１．７８ｍｍ）の範囲内にある、請求項１又は請求項２記載のブラシシールキャリヤ組立体。
【請求項４】
軸線の周りで回転可能なロータ（１１０）と前記ロータを囲む固定ノズル組立体とを有するターボ機械用のシール組立体であって、前記ロータがシーリング表面（１４２）を有しており、前記固定ノズル組立体が前記シーリング表面と対向した半径方向向き部分（１１６）に環状溝（１５０）を有しており、前記シール組立体が、
裏当てプレート（１５６）と、硬質歯シールプレート（１５４）と、それらの間に挟持されかつそれらと係合するコンプライアントシール部品（１３６）とを備えるブラシシールキャリヤ（１４６）と、
前記硬質歯シールプレート（１５４）と一体の部品として形成されかつ前記シーリング表面（１４２）に向かっているが前記シーリング表面（１４２）から間隔を置いた状態で半径方向に突出した１以上の硬質歯シール要素（１６２）と
を備えており、前記硬質歯シール要素（１６２）が、前記コンプライアントシール部品（１３６）の幅寸法の少なくとも３倍に等しい距離だけ前記コンプライアントシール部品から軸方向に間隔を置いて配置される、シール組立体。
【請求項５】
前記硬質歯シールプレート（１５４）が、前記コンプライアントシール部品（１３６）を前記硬質歯シールプレート（１５４）の残り部分から間隔を置いて配置して前記コンプライアントシール部品（１３６）の前方軸方向撓みを可能にするスペーサ部分（１５８）を含む、請求項４記載のシール組立体。
【請求項６】
前記硬質歯シール要素（１６２）が、その長さに沿った任意の部位における前記硬質歯シールプレート（１５４）の残り部分の横断面よりも大幅に小さいその長さに沿った任意の部位における横断面を有する、請求項５記載のシール組立体。
【請求項７】
前記コンプライアントシール部品（１３６）がコンプライアントブラシシールブリストルパックを含む、請求項４乃至請求項６のいずれか１項記載のシール組立体。
【請求項８】
前記硬質歯シール要素（１６２）が前記コンプライアントシール部品（１３６）に対して平行に延在する、請求項４乃至請求項７のいずれか１項記載のシール組立体。
【請求項９】
前記シールキャリヤ（１４６）が、前記固定ノズル組立体とは別個に形成されかつ前記固定ノズル組立体に対して取外し可能に固定される、請求項４乃至請求項８のいずれか１項記載のシール組立体。
【請求項１０】
前記１以上の硬質歯シール要素（１６２）とシーリング表面（１４２）の間の半径方向間隙寸法が、前記コンプライアントシール部品の幅寸法の少なくとも２倍である、請求項４乃至請求項９のいずれか１項記載のシール組立体。
【請求項１１】
前記裏当てプレート（１５６）が、前記コンプライアントシール部品の後方撓みを抑制するように、前記裏当てプレートの全長に沿って前記コンプライアントシール部品（１３６）と係合する、請求項４記載のシール組立体。
【請求項１２】
前記硬質歯シールプレート（１５４）及び裏当てプレート（１５６）のの少なくとも一方が、前記環状溝（１５０）のチャネル（１５２）と係合するフック部分（１４８）を形成する、請求項４乃至請求項１１のいずれか１項記載のシール組立体。
【請求項１３】
前記シール部品（１３６）の幅寸法が０．０５〜０．０７インチ（１．２７〜１．７８ｍｍ）の範囲内にある、請求項４乃至請求項１２のいずれか１項記載のシール組立体。
【手続補正２】
【補正対象書類名】明細書
【補正対象項目名】００１２
【補正方法】変更
【補正の内容】
【００１２】
本発明はまた、軸線の周りで回転可能なロータ及び該ロータを囲む固定ノズル組立体を有し、ロータがシーリング表面を有しまた固定ノズル組立体がシーリング表面と対向した半径方向向き部分を有するターボ機械用のシール組立体として具体化することができ、本シール組立体は、固定ノズル組立体の半径方向向き部分内に支持され、また裏当てプレート、硬質歯シールプレート、並びに該裏当てプレート及び硬質歯シールプレート間に挟持されかつシーリング表面と摩擦接触状態で配置されたコンプライアントシール部品を備えたシールキャリヤと、硬質歯シールプレートと一つの部品として形成されかつシーリング表面に向かっているが該シーリング表面から間隔を置いた状態で半径方向に突出した１以上の硬質歯シール要素とを含み、硬質歯シール要素は、コンプライアントシール部品の幅寸法の少なくとも３倍に等しい距離だけ該コンプライアントシール部品から軸方向に間隔を置いて配置される。
【手続補正３】
【補正対象書類名】明細書
【補正対象項目名】００２１
【補正方法】変更
【補正の内容】
【００２１】
この図示した実施形態では、ダブテールグルーブ内に受けるようにダブテールを設けるのではなくて、キャリヤ１４６は、単一の係合フック又はフランジ１４８を有する。キャリヤ１４６は、その単一のフック１４８が溝（グルーブともいう。）１５０のチャネル部分１５２内に受けられた状態で、ダイアフラム（又は、ノズル）内側リング又はウェッブ１１６に直接形成された成形グルーブ１５０内に受けられる（従って、図１に示すキャリヤ２８の必要性を排除する）ものとして示している。さらに、この図示した実施例では、ブラシシールキャリヤ１４６は、硬質歯シール１２２及び裏当てプレート１５６間に挟持されたコンプライアントブリストル１３６を含むラミネート構造体となっている。硬質歯シール１２２は、スペーサ部分１５８が形成された前方統合型硬質歯シールプレート１５４を含み、スペーサ部分１５８は、コンプライアントブリストル１３６を硬質歯シールプレート１５４の残部から間隔を置いて配置して、それによって従来通りの方法でコンプライアントブリストル１３６の前方軸方向撓みを可能にする。一方、裏当てプレート１５６は、コンプライアントブリストル１３６の後方軸方向撓みを制限する突出支持体１６０を含む。